(57)【要約】【課題】  コンピュータと機器との無線接続の設定を従来よりも簡易に行うことが可能な技術を提供する。【解決手段】  ＰＣ１では、印刷装置を無線ネットワークに参加させる際に、１つの印刷装置のみを認識した場合には、印刷装置を選択するための入力を不要と判定して、印刷装置を選択するための入力画面の表示を省略し、認識した印刷装置をそのまま無線ネットワークに参加するために必要な設定を行う設定対象に決定する。更に、１つのＳＳＩＤのみを認識し、認識したＳＳＩＤが、ＰＣ１が参加していたＳＳＩＤと一致する場合には、ＳＳＩＤを選択するための入力を不要と判定して、ＳＳＩＤを選択するための入力画面の表示を省略し、認識したＳＳＩＤをそのまま印刷装置の参加対象に決定して、印刷装置への設定内容を確認するための入力画面のみをユーザーに表示する。【選択図】図１７
2006287600.tif 000002
【特許請求の範囲】
【請求項１】
１台以上の機器と通信することが可能に構成された通信インターフェイスを備えたコンピュータに、
外部から、該コンピュータと通信可能な機器を無線ネットワークに参加させるために必要な無線接続設定の設定要求を受けると、
前記通信インターフェイスを介して前記機器の状態を認識する認識手順と、
前記無線接続設定において設定すべき設定項目ごとに入力画面を順次表示する入力画面表示手順と、
前記入力画面からの入力に基づいて、前記無線接続設定における設定内容を決定し、該設定内容に基づいた設定を前記機器に行う無線接続設定手順と、
前記認識手順にて認識した機器の状態に基づいて、前記設定項目ごとに入力が必要か否かを判定し、入力不要であると判定した設定項目に対する前記入力画面の表示を前記入力画面表示手順にて禁止する入力画面要否制御手順と
を実行させ、
前記無線接続設定手順では、
前記入力画面要否制御手順にて入力不要であると判定した設定項目を、前記認識手順にて認識した機器の状態に基づいて決定する
ことを特徴とする無線接続設定プログラム。
【請求項２】
前記入力画面表示手順では、
前記認識手順にて認識した機器のいずれかを前記無線接続設定の設定対象として選択するための設定機器選択画面を、前記入力画面の１つとして表示し、
前記入力画面要否制御手順では、
前記認識手順にて認識した機器が１つである場合に、前記設定機器選択画面の表示を前記入力画面表示手順にて禁止し、
前記無線接続設定手順では、
前記認識手順にて認識した機器が複数である場合に、前記設定機器選択画面にて選択された機器を設定対象とし、前記認識手順にて認識した機器が１つである場合に、該機器を設定対象とする
ことを特徴とする請求項１記載の無線接続設定プログラム。
【請求項３】
前記認識手順では、
予め指定された機種の機器を認識対象とする
ことを特徴とする請求項１又は請求項２記載の無線接続設定プログラム。
【請求項４】
前記認識手順では、
前記通信インターフェイスを介して、無線ネットワークも認識し、
前記入力画面表示手順では、
前記認識手順にて認識した無線ネットワークのいずれかを前記機器の参加対象として選択するための無線ネットワーク選択画面を、前記入力画面の１つとして表示し、
前記入力画面要否制御手順では、
前記認識手順にて認識した無線ネットワークが１つである場合に、前記無線ネットワーク選択画面の表示を前記入力画面表示手順にて禁止し、
前記無線接続設定手順では、
前記認識手順にて認識した無線ネットワークが複数である場合に、前記無線ネットワーク選択画面にて選択された無線ネットワークを参加対象とし、該無線ネットワークに参加するために必要な設定を前記機器に行い、前記認識手順にて認識した無線ネットワークが１つである場合に、該無線ネットワークを参加対象とし、該無線ネットワークに参加するために必要な設定を前記機器に行う
ことを特徴とする請求項１乃至請求項３いずれか記載の無線接続設定プログラム。
【請求項５】
前記認識手順では、
前記通信インターフェイスを介して、無線ネットワークも認識し、
前記入力画面表示手順では、
前記認識手順にて認識した無線ネットワークのいずれかを前記機器の参加対象として選択するための無線ネットワーク選択画面を、前記入力画面の１つとして表示し、
前記入力画面要否制御手順では、
前記認識手順にて認識した無線ネットワークに、前記コンピュータが参加している無線ネットワークが含まれている場合に、前記無線ネットワーク選択画面の表示を前記入力画面表示手順にて禁止し、
前記無線接続設定手順では、
前記認識手順にて認識した無線ネットワークに、前記コンピュータが参加している無線ネットワークが含まれていない場合に、前記無線ネットワーク選択画面にて選択された無線ネットワークを参加対象とし、該無線ネットワークに参加するために必要な設定を前記機器に行い、前記認識手順にて認識した無線ネットワークに、前記コンピュータが参加している無線ネットワークが含まれている場合に、該無線ネットワークを参加対象とし、該無線ネットワークに参加するために必要な設定を前記機器に行う
ことを特徴とする請求項１乃至請求項４いずれか記載の無線接続設定プログラム。
【請求項６】
前記認識手順では、
前記通信インターフェイスを介して、前記無線接続設定手順にて前記機器の参加対象とした無線ネットワークに予め定められたセキュリティ機能が設定されているか否かも認識し、
前記入力画面表示手順では、
前記認識手順にて前記無線ネットワークに前記セキュリティ機能が非設定であると認識した場合に、その旨を警告する警告画面も表示する
ことを特徴とする請求項４又は請求項５記載の無線接続設定プログラム。
【請求項７】
周囲の機器と無線接続することが可能に構成されたコンピュータに、
外部から無線接続の設定要求を受けると、ネットワークを介して、周囲に存在する機器を認識し、認識した機器が１つである場合に、該機器を無線接続対象に設定する接続対象設定手順と、
該接続対象設定手順にて無線接続対象に設定した機器との無線接続を確立する接続確立手順と
を実行させることを特徴とする無線接続設定プログラム。
【請求項８】
前記接続対象設定手順では、
認識した機器が１つである場合に、該機器と、予め前記コンピュータに設定された無線接続対象とが一致するか否かを判定し、一致する場合には、該機器を無線接続対象に再度設定し、不一致な場合には、該機器を示すと共に、該機器を無線接続対象に設定するか否かを選択するための第１の選択画面を表示し、該第１の選択画面にて設定が選択された場合にのみ、該機器を無線接続対象に設定する
ことを特徴とする請求項７記載の無線接続設定プログラム。
【請求項９】
前記接続対象設定手順では、
認識した機器が複数からなる場合に、これら機器を示すと共に、これら機器のうちのいずれかを無線接続対象として選択するための第２の選択画面を表示し、該第２の選択画面にて選択された機器を無線接続対象に設定する
ことを特徴とする請求項７又は請求項８記載の無線接続設定プログラム。
【請求項１０】
前記機器として、無線アクセスポイントが含まれ、
前記接続対象設定手順では、
無線アクセスポイントを不認識である場合に、外部から指定された無線アクセスポイントを無線接続対象に設定する
ことを特徴とする請求項７乃至請求項９いずれか記載の無線接続設定プログラム。
【請求項１１】
前記機器として、無線アクセスポイントが含まれ、
当該無線接続設定プログラムは、
前記接続対象設定手順にて無線接続対象に設定した無線アクセスポイントが、セキュリティ機能を設定されているか否かを確認し、設定されていないである場合には、その旨を警告する警告画面を表示するセキュリティ警告手順
を含むことを特徴とする請求項７乃至請求項１０いずれか記載の無線接続設定プログラム。
【請求項１２】
前記接続対象設定手順では、
予め指定された機種の機器のみを認識対象とすることを特徴とする請求項７乃至請求項１１いずれか記載の無線接続設定プログラム。
【請求項１３】
請求項１乃至請求項１２いずれか記載の無線接続設定プログラムを、コンピュータにて読み取り可能に記録した記録媒体。
【請求項１４】
請求項１乃至請求項１２いずれか記載の無線接続設定プログラムを搭載したコンピュータ。
【請求項１５】
請求項１４記載のコンピュータと、該コンピュータに無線接続することが可能に構成された機器とをそれぞれ、少なくとも１つ備える無線ネットワーク。
【発明の詳細な説明】
【技術分野】
【０００１】
本発明は、コンピュータと機器との無線接続を設定する技術に関する。
【背景技術】
【０００２】
従来より、印刷装置（プリンタや複合機など）などの各種機器を無線ネットワークに参加させる際には、無線ネットワーク上のパーソナルコンピュータにて、無線ネットワークに参加するために必要な各種設定を行うプログラムであるセットアップウィザードを起動し、このセットアップウィザードを用いて各種設定が行われる。
【０００３】
尚、このセットアップウィザードは、一般的に、設定すべき設定項目ごとに入力画面を順次表示し、ユーザーが各設定項目に対する入力を入力画面に順次行っていくだけで、機器を無線ネットワークに参加させることができるように設定されている（例えば、特許文献１を参照）。
【特許文献１】特開２００４−８６４９２号公報
【発明の開示】
【発明が解決しようとする課題】
【０００４】
ところで、近年、オフィスだけでなく、一般家庭においても、無線ネットワークが普及してきている。
しかしながら、上述した従来のセットアップウィザードでは、図１９に示すように、無線ネットワークに参加させる機器や、使用する無線アクセスポイントなどを指定する入力をユーザーが行わなければならなかったため、大抵の一般家庭のように、機器や無線アクセスポイントが１つしかない簡素な無線ネットワークを設定するだけであるにも関わらず、無線ネットワークの設定に余分な手間を要してしまうという問題点があった。
【０００５】
又、例えば「ＳＳＩＤ（Service Set Identifier）」や「チャンネル」などを指定する入力のように、無線ネットワークに関するある程度の専門的知識を要する入力もユーザーが行わなければならなかったため、一般のユーザーの一部のように、ユーザーが無線ネットワークに関する専門的知識に乏しい場合に、無線ネットワークの設定を容易に行うことができないという問題点もあった。尚、図１９は、背景技術の問題点の一例を示す説明図である。
【０００６】
そこで、本発明は、上記問題点に鑑み、コンピュータと機器との無線接続の設定を従来よりも簡易に行うことが可能な技術を提供することを目的とする。
【課題を解決するための手段】
【０００７】
上記目的を達成するためになされた発明である請求項１記載の無線接続設定プログラムは、１台以上の機器と通信することが可能に構成された通信インターフェイスを備えたコンピュータに、外部から、該コンピュータと通信可能な機器を無線ネットワークに参加させるために必要な無線接続設定の設定要求を受けると、通信インターフェイスを介して機器の状態を認識する認識手順と、無線接続設定において設定すべき設定項目ごとに入力画面を順次表示する入力画面表示手順と、入力画面からの入力に基づいて、無線接続設定における設定内容を決定し、該設定内容に基づいた設定を機器に行う無線接続設定手順と認識手順にて認識した機器の状態に基づいて、設定項目ごとに入力が必要か否かを判定し、入力不要であると判定した設定項目に対する入力画面の表示を入力画面表示手順にて禁止する入力画面要否制御手順とを実行させ、無線接続設定手順では、入力画面要否制御手順にて入力不要であると判定した設定項目を、認識手順にて認識した機器の状態に基づいて決定することを特徴とする。
【０００８】
この無線接続設定プログラムをコンピュータに実行させると、コンピュータは、外部から設定要求を受けた際に、通信インターフェイスを介して機器の状態を認識し、入力画面を順次表示する一方で、認識した機器の状態に基づいて、設定項目ごとに入力が必要か否かを判定し、入力不要であると判定した設定項目に対する入力画面の表示を禁止する。そして、入力が必要と判定した場合には、入力画面からの入力に基づいて、又、入力不要と判定した場合には、判定の根拠に従って、無線接続設定における設定内容を決定し、該設定内容に基づいた設定を機器に行う。
【０００９】
つまり、この無線接続設定プログラムを実行したコンピュータでは、認識した機器の状態に基づいて入力不要であると判定した設定項目に対する入力画面の表示を省略するため、ユーザーはコンピュータと機器との無線接続の設定を従来よりも簡易に行うことができる。
【００１０】
ここで、請求項２記載のように、入力画面表示手順では、認識手順にて認識した機器のいずれかを無線接続設定の設定対象として選択するための設定機器選択画面を、入力画面の１つとして表示し、入力画面要否制御手順では、認識手順にて認識した機器が１つである場合に、設定機器選択画面の表示を入力画面表示手順にて禁止し、無線接続設定手順では、認識手順にて認識した機器が複数である場合に、設定機器選択画面にて選択された機器を設定対象とし、認識手順にて認識した機器が１つである場合に、該機器を設定対象とすると良い。
【００１１】
このように設定した無線接続設定プログラムをコンピュータに実行させると、認識した機器が複数である場合には、設定機器選択画面によって、ユーザーに設定対象を選択させることができる一方、認識した機器が１つしかない場合には、その機器をそのまま設定対象とすることにより、ユーザーにわざわざ設定対象を選択するための入力を行わせてしまうことを防止できる。
【００１２】
又、請求項３記載のように、認識手順では、予め指定された機種の機器を認識対象とすると良い。
このように設定した無線接続設定プログラムをコンピュータに実行させると、指定された機種の機器のみを認識するため、認識した機器の中からユーザーがわざわざ指定された機種の機器を選択するための入力を行う手間がかかることもなく、又、指定された機種以外の機器を誤って設定対象としてしまうことも防止できる。
【００１３】
又、請求項４記載のように、認識手順では、通信インターフェイスを介して、無線ネットワークも認識し、入力画面表示手順では、認識手順にて認識した無線ネットワークのいずれかを機器の参加対象として選択するための無線ネットワーク選択画面を、入力画面の１つとして表示し、入力画面要否制御手順では、認識手順にて認識した無線ネットワークが１つである場合に、無線ネットワーク選択画面の表示を入力画面表示手順にて禁止し、無線接続設定手順では、認識手順にて認識した無線ネットワークが複数である場合に、無線ネットワーク選択画面にて選択された無線ネットワークを参加対象とし、該無線ネットワークに参加するために必要な設定を機器に行い、認識手順にて認識した無線ネットワークが１つである場合に、該無線ネットワークを参加対象とし、該無線ネットワークに参加するために必要な設定を機器に行うと良い。
【００１４】
このように設定した無線接続設定プログラムをコンピュータに実行させると、無線ネットワークを認識して、認識した無線ネットワークに参加するために必要な設定を機器に行うことができる。しかも、認識した無線ネットワークが複数である場合には、無線ネットワーク選択画面によって、参加対象となる無線ネットワークをユーザーに選択させることができる一方、認識した無線ネットワークが１つしかない場合には、その無線ネットワークをそのまま参加対象とすることにより、ユーザーにわざわざ参加対象となる無線ネットワークを選択するための入力を行わせてしまうことを防止できる。
【００１５】
又、請求項５記載のように、認識手順では、通信インターフェイスを介して、無線ネットワークも認識し、入力画面表示手順では、認識手順にて認識した無線ネットワークのいずれかを機器の参加対象として選択するための無線ネットワーク選択画面を、入力画面の１つとして表示し、入力画面要否制御手順では、認識手順にて認識した無線ネットワークに、コンピュータが参加している無線ネットワークが含まれている場合に、無線ネットワーク選択画面の表示を入力画面表示手順にて禁止し、無線接続設定手順では、認識手順にて認識した無線ネットワークに、コンピュータが参加している無線ネットワークが含まれていない場合に、無線ネットワーク選択画面にて選択された無線ネットワークを参加対象とし、該無線ネットワークに参加するために必要な設定を機器に行い、認識手順にて認識した無線ネットワークに、コンピュータが参加している無線ネットワークが含まれている場合に、該無線ネットワークを参加対象とし、該無線ネットワークに参加するために必要な設定を機器に行うと良い。
【００１６】
このように設定した無線接続設定プログラムをコンピュータに実行させると、無線ネットワークを認識して、認識した無線ネットワークに参加するために必要な設定を機器に行うことができる。しかも、認識した無線ネットワークにコンピュータが参加している無線ネットワークが含まれていない場合には、無線ネットワーク選択画面によって、ユーザーに参加対象となる無線ネットワークを選択させることができる一方、認識した無線ネットワークにコンピュータが参加している無線ネットワークが含まれている場合には、その無線ネットワークをそのまま参加対象とすることにより、ユーザーにわざわざ参加対象となる無線ネットワークを選択するための入力を行わせてしまうことを防止できる。特に、ユーザーが従来から使用している、無線接続されたコンピュータから、機器を利用できるようにセットアップしたい時に設定を間違えることもなく有用である。
【００１７】
又、このように無線接続設定プログラムを設定すれば、例えば集合住宅における隣の部屋（世帯）に存在する無線ネットワークのように、参加対象に設定すべきでない無線ネットワークまでも認識してしまう場合があることが考えられる。しかしながら、このように設定した無線接続設定プログラムによれば、認識した無線ネットワークにコンピュータが参加している無線ネットワークが含まれている場合には、その無線ネットワークをそのまま参加対象に設定することにより、参加対象に設定しても支障がないことが分かっている無線ネットワークへ参加するために必要な設定を簡易に行うことができる。又、その一方で、認識した無線ネットワークにコンピュータが参加している無線ネットワークが含まれていない場合には、参加対象に設定すべき無線ネットワークであるか否かをユーザーに確認させることにより、参加対象に設定すべきでない無線ネットワークを参加対象に設定してしまうことを防止できる。
【００１８】
又、請求項６記載のように、認識手順では、通信インターフェイスを介して、無線接続設定手順にて機器の参加対象とした無線ネットワークに予め定められたセキュリティ機能が設定されているか否かも認識し、入力画面表示手順では、認識手順にて無線ネットワークにセキュリティ機能が非設定であると認識した場合に、その旨を警告する警告画面も表示すると良い。
【００１９】
このように設定した無線接続設定プログラムをコンピュータに実行させると、参加対象とした無線ネットワークにセキュリティ機能が非設定となっている場合に、その旨をユーザーに警告することができる。このため、ユーザーはセキュリティのない無線ネットワークであると認識せずに機器を無線ネットワークに参加させることなく、機器を任意にセキュリティのある無線ネットワークへ参加させることができる。
【００２０】
続いて、請求項７記載の無線接続設定プログラムは、周囲の機器と無線接続することが可能に構成されたコンピュータに、外部から無線接続の設定要求を受けると、ネットワークを介して、周囲に存在する機器を認識し、認識した機器が１つである場合に、該機器を無線接続対象に設定する接続対象設定手順と、該接続対象設定手順にて無線接続対象に設定した機器との無線接続を確立する接続確立手順とを実行させることを特徴とする。
【００２１】
この無線接続設定プログラムをコンピュータに実行させると、コンピュータは、外部から設定要求を受けた際に、ネットワークを介して、周囲に存在する機器を認識し、認識した機器が１つである場合に、該機器を無線接続対象に設定し、無線接続対象に設定した機器との無線接続を確立する。
【００２２】
つまり、この無線接続設定プログラムを実行したコンピュータでは、従来のように、コンピュータの周囲に存在する機器が１つだけであるにも関わらず、ユーザーにわざわざ無線接続対象の機器を選択するための入力を行わせてしまうことがないため、ユーザーはコンピュータと機器との無線接続の設定を従来よりも簡易に行うことができる。
【００２３】
尚、接続対象設定手順では、周囲に存在する機器を認識するのにどのような方法を用いても良く、例えば、機器が一定時間毎に所定の信号を送信するように設定されているのであれば、この無線信号に基づいて機器を認識すれば良いし、又、機器が応答要求に対して返信するように設定されているのであれば、機器に応答要求を送信し、この応答要求に対する機器からの返信に基づいて機器を認識すれば良い。このように機器からの信号や返信に基づいて機器を認識することにより、機器を認識するための情報をユーザーもしくはネットワーク管理者がコンピュータに別途入力する必要がなく、更に、設定要求のあったあとで信号や返信を検出するように接続対象設定手順を設定すれば、現在存在する機器のみを認識でき、現在存在しない機器を誤って無線接続対象に設定してしまうことを防止できる。
【００２４】
又、接続対象設定手順では、例えば集合住宅における隣の部屋（世帯）に存在する機器のように、無線接続対象に設定すべきでない機器までも認識してしまう場合があることが考えられる。
【００２５】
そこで、請求項８記載のように、接続対象設定手順では、認識した機器が１つである場合に、該機器と、予めコンピュータに設定された無線接続対象とが一致するか否かを判定し、一致する場合には、該機器を無線接続対象に再度設定し、不一致な場合には、該機器を示すと共に、該機器を無線接続対象に設定するか否かを選択するための第１の選択画面を表示し、該第１の選択画面にて設定が選択された場合にのみ、該機器を無線接続対象に設定すると良い。
【００２６】
このように設定した無線接続設定プログラムをコンピュータに実行させると、認識した機器が予め無線接続対象に設定された機器と一致する場合には、その機器をそのまま無線接続対象に再度設定することにより、無線接続対象に設定しても支障がないことが分かっている機器との無線接続の設定を簡易に行うことができる。又、その一方で、認識した機器が予め無線接続対象に設定された機器と不一致な場合には、無線接続対象に設定すべき機器であるか否かをユーザーに確認させることにより、無線接続対象に設定すべきでない機器を無線接続対象に設定してしまうことを防止できる。
【００２７】
又、請求項９記載のように、接続対象設定手順では、認識した機器が複数からなる場合に、これら機器を示すと共に、これら機器のうちのいずれかを無線接続対象として選択するための第２の選択画面を表示し、該第２の選択画面にて選択された機器を無線接続対象に設定すると良い。
【００２８】
このように設定した無線接続設定プログラムをコンピュータに実行させると、周囲に複数の機器が存在する場合に、ユーザーに無線接続対象を選択させることができる。つまり、例えば無線接続に関する専門的知識を有したユーザーがいるオフィスのように、周囲に複数の機器が存在する環境に好適に用いることができる。
【００２９】
ここで、機器として、無線アクセスポイントが含まれる場合には、請求項１０記載のように、接続対象設定手順では、無線アクセスポイントを不認識である場合に、外部から指定された無線アクセスポイントを無線接続対象に設定すると良い。
【００３０】
このように設定した無線接続設定プログラムをコンピュータに実行させると、セキュリティ上の配慮により、無線アクセスポイントが不認識となるように設定されている場合であっても、指定された無線アクセスポイントとの無線接続を設定することができる。
【００３１】
又、機器として、無線アクセスポイントが含まれる場合には、請求項１１記載のように、無線接続設定プログラムは、接続対象設定手順にて無線接続対象に設定した無線アクセスポイントが、セキュリティ機能を設定されているか否かを確認し、設定されていない場合には、その旨を警告する警告画面を表示するセキュリティ警告手順を含むことが望ましい。
【００３２】
このように設定した無線接続設定プログラムをコンピュータに実行させると、無線接続対象に設定した無線アクセスポイントにセキュリティ機能が設定されていない場合に、その旨をユーザーに警告することができる。このため、ユーザーはセキュリティのない無線ネットワークであると認識せずに機器を無線ネットワークに参加させることなく、機器を任意にセキュリティのある無線ネットワークへ参加させることができる。
【００３３】
又、接続対象設定手順では、請求項１２記載のように、予め指定された機種の機器のみを認識対象とすると良い。
このように設定した無線接続設定プログラムをコンピュータに実行させると、請求項３記載の発明と同様に、指定された機種の機器のみを認識するため、認識した機器の中からユーザーがわざわざ指定された機種の機器を選択するための入力を行う手間がかかることもなく、又、指定された機種以外の機器を誤って無線接続対象としてしまうことも防止できる。
【００３４】
ところで、上述した無線接続設定プログラムは、コンピュータに組み込まれるＲＯＭやバックアップＲＡＭに記録され、これらＲＯＭやバックアップＲＡＭからコンピュータにロードされて用いられても良いし、ネットワークを介してコンピュータにロードされて用いられても良い。
【００３５】
又、請求項１３記載の発明のように、コンピュータにて読み取り可能な記録媒体に記録されて用いられても良い。
つまり、コンピュータにこの記録媒体から上述の無線接続設定プログラムを読み取らせることにより、請求項１乃至請求項１２いずれか記載の発明と同様の効果を得ることができる。
【００３６】
尚、記録媒体としては、例えば、フレキシブルディスク（ＦＤ）や光ディスク（ＭＯ）、ＤＶＤ、ＣＤ−ＲＯＭ、Ｂｌｕ−Ｒａｙディスク、ＨＤ−ＤＶＤ、ハードディスク、メモリカードなどが該当する。
【００３７】
又、請求項１４記載の発明は、請求項１乃至請求項１２いずれか記載の無線接続設定プログラムを搭載したコンピュータである。
つまり、このコンピュータによれば、請求項１乃至請求項１２いずれか記載の発明と同様の効果を得ることができる。
【００３８】
又、請求項１５記載の発明は、請求項１４記載のコンピュータと、該コンピュータに無線接続することが可能に構成された機器とをそれぞれ、少なくとも１つ備える無線ネットワークである。
【００３９】
つまり、この無線ネットワークによれば、請求項１乃至請求項１２いずれか記載の発明と同様の効果を得ることができる。
【発明を実施するための最良の形態】
【００４０】
以下に本発明の実施形態を図面と共に説明する。
まず、図１は、本発明に係るパーソナルコンピュータ１の概略構成図である。
図１に示すように、パーソナルコンピュータ（ＰＣ）１は、周知のパーソナルコンピュータと同様に構成されている。
【００４１】
即ち、ＰＣ１は、本体１１にディスプレイ１２、キーボード１３、マウス（図示せず）などを接続して構成されている。
そして、本体１１は、当該ＰＣ１にて行うべき各種処理を実行するＣＰＵ１１１と、当該ＰＣ１の起動時にＣＰＵ１１１が行う起動処理のプログラム（ＢＩＯＳ）などを記憶したＲＯＭ１１２と、ＣＰＵ１１１が各種処理を行う際に記憶領域として用いるＲＡＭ１１３と、オペレーティングシステムや、ＣＰＵ１１１が行うべき各種処理のプログラムなどを記憶したハードディスクドライブ（ＨＤＤ）１１４と、外部から挿入されたＣＤ−ＲＯＭから記録内容を読み取るＣＤ−ＲＯＭドライブ１１５と、当該本体１１に接続されたキーボード１３やマウスなどからの入力信号をＣＰＵ１１１へ入力する入力Ｉ／Ｆ１１６と、当該本体１１に接続されたディスプレイ１２にＣＰＵ１１１からの指令に基づいた表示を行うビデオＩ／Ｆ１１７と、所定の無線通信規格（本実施形態では、ＩＥＥＥ  ８０２．１１）に基づいて、ＣＰＵ１１１と外部の機器とを無線接続する無線ＬＡＮアダプタ１１８とを備え、これら構成要素が信号バス１１９を介して相互に接続されている。
【００４２】
以下、ＣＰＵ１１１が行う各種処理のうち、本発明に係る処理について詳述する。
まず、図２は、ＣＰＵ１１１が実行する初期設定処理の流れを示すフローチャートである。尚、本処理のプログラムは、特定機種の印刷装置（プリンタや複合機など）を制御するためのプログラムであるドライバと共に、ＣＰＵ１１１にて読み取り可能にＣＤ−ＲＯＭに記録されている。そして、ＣＰＵ１１１は、このＣＤ−ＲＯＭがＣＤ−ＲＯＭドライブ１１５に挿入されると、ＣＤ−ＲＯＭにおける記録内容の読み込みを開始して、メニュー画面を表示し、このメニュー画面にて初期設定が選択された際に、本処理のプログラムを読み込み、本処理を実行する。
【００４３】
図２に示すように、本処理では、まず、ＰＣ１と印刷装置との接続方式として無線接続が選択されたか否かを判定し（Ｓ１０）、無線接続以外（つまり、Ｅｔｈｅｒｎｅｔ（登録商標）接続、ＵＳＢ接続、パラレル接続などの有線接続）が選択された場合には（Ｎｏ：Ｓ１０）、後述のＳ２５へ直ちに移行する。
【００４４】
一方、無線接続が選択された場合には（Ｙｅｓ：Ｓ１０）、ＰＣ１が参加している無線ネットワークに特定機種の印刷装置が参加済みであるか否か（より具体的には、ＰＣ１が無線接続している無線アクセスポイントと特定機種の印刷装置とが無線接続しているか否か）を問う選択画面を表示して選択させ（Ｓ１５）、参加済みである場合には（Ｙｅｓ：Ｓ１５）、後述のＳ２５へ直ちに移行する。
【００４５】
一方、未参加である場合には（Ｎｏ：Ｓ１５）、後述のセットアップウィザード処理を実行したのち（Ｓ２０）、ドライバをＨＤＤ１１４にインストールして（Ｓ２５）、本処理を終了する。
【００４６】
ここで、図３は、セットアップウィザード処理（Ｓ２０）の流れを示すフローチャートである。
図３に示すように、本処理では、まず、セットアップウィザードを開始する旨を示す開始画面（図６参照）をディスプレイ１２に表示する（Ｓ１００）。続いて、無線ＬＡＮアダプタ１１８の設定内容（ここでは、ＰＣ１が参加している無線ネットワークにおける無線アクセスポイントとの無線接続の設定内容）をＲＡＭ１１３へ記憶（退避）させると共に（Ｓ１０５）、元々設定されていた無線ＬＡＮアダプタ１１８の設定内容を外部の印刷装置と直接無線接続するための設定内容であるＳＥＴＵＰに変更する（Ｓ１１０）。ここで、「ＳＥＴＵＰに変更する」とは、より具体的には、無線ＬＡＮ規格に当てはめると、ＰＣ１の参加対象の無線ネットワークを識別するＳＳＩＤを、接続設定されていない印刷装置に割り当てられた接続設定のための値と同じ値にし、他にもチャネルや動作モードを接続設定されていない印刷装置と接続設定のための通信が可能となるように設定することである。これにより、ＰＣ１は、セットアップウィザードの開始前に参加していた無線ネットワークから離脱し、接続設定されていない印刷装置と通信できるようになる。
【００４７】
そして、特定機種の印刷装置に応答を要求する応答要求を送信して、周囲に存在する特定機種の印刷装置を検索し（Ｓ１１５）、応答要求に対して応答し、認識した印刷装置が１台であるか否かを判定する（Ｓ１２０）。
【００４８】
ここで、認識した印刷装置が１台である場合には（Ｙｅｓ：Ｓ１２０）、認識した印刷装置を無線ネットワークに参加するために必要な設定を行う設定対象に決定して、後述のＳ１３０へ直ちに移行する一方、複数台である場合には（Ｎｏ：Ｓ１２０）、無線ネットワークに参加させる印刷装置をユーザーが選択するための入力画面である印刷装置選択ＧＵＩ（図７参照）をディスプレイ１２に表示する（Ｓ１２５）。
【００４９】
そして、この印刷装置選択ＧＵＩにて中断（Ｃａｎｃｅｌ）が選択された場合には（中断：Ｓ１２５）、後述のＳ１３５へ直ちに移行する。
又、印刷装置選択ＧＵＩにて再検索（Ｒｅｆｒｅｓｈ）が選択された場合には（再検索：Ｓ１２５）、上述のＳ１１５へ再度移行する。
【００５０】
又、印刷装置選択ＧＵＩにて印刷装置が選択された場合には（選択：Ｓ１２５）、選択された印刷装置を無線ネットワークに参加するために必要な設定を行う設定対象に決定して、後述のメイン設定処理を実行したのち（Ｓ１３０）、上述のＳ１０５にてＲＡＭ１１３に記憶させていた設定内容を復帰させて（Ｓ１３５）、ＰＣ１をセットアップウィザード処理の開始前に参加していた無線ネットワークに復帰させ、本処理を終了する。
【００５１】
ここで、図４は、メイン設定処理（Ｓ１３０）の流れを示すフローチャートである。
図４に示すように、本処理では、まず、無線アクセスポイントのＳＳＩＤを検索中である旨を示す検索画面（図８参照）を表示すると共に（Ｓ２００）、印刷装置にＳＳＩＤの検索を指示する（Ｓ２０５）。尚、この指示により、印刷装置は、無線アクセスポイントが一定時間毎に送信する、ＳＳＩＤなどの情報を含んだビーコン信号の受信を行ったり、無線アクセスポイントにＳＳＩＤを含んだ応答信号を返信するように求めるプローブ要求をブロードキャストし、これに対するプローブ応答の受信を行うことにより、ＳＳＩＤを検索する。
【００５２】
そして、印刷装置がＳＳＩＤを不認識であるか否かを判定し（Ｓ２１０）、ビーコン信号を未受信、もしくは無線アクセスポイントのセキュリティ機能によりビーコン信号にＳＳＩＤが含まれていないために、印刷装置がＳＳＩＤを一切認識していない不認識である場合には（Ｙｅｓ：Ｓ２１０）、後述のＳ２３５へ直ちに移行する。
【００５３】
一方、印刷装置がＳＳＩＤを認識している場合には（Ｎｏ：Ｓ２１０）、認識したＳＳＩＤが１つであるか否かを判定し（Ｓ２１５）、１つである場合には（Ｙｅｓ：Ｓ２１５）、ＲＡＭ１１３に記憶させた設定内容に含まれているＳＳＩＤと一致するか否か（つまり、ＰＣ１が参加していたＳＳＩＤと一致するか否か）を判定し（Ｓ２２０）、不一致な場合には（Ｎｏ：Ｓ２２０）、後述のＳ２３０へ移行する一方、一致する場合には（Ｙｅｓ：Ｓ２２０）、このＳＳＩＤを印刷装置の参加対象とする無線ネットワークのＳＳＩＤに決定し（Ｓ２２５）、後述のＳ２４０へ移行する。
【００５４】
一方、Ｓ２１５にて、印刷装置が認識したＳＳＩＤが複数である場合には（Ｎｏ：Ｓ２１５）、認識したＳＳＩＤの中から印刷装置の参加対象とするＳＳＩＤをユーザーが選択するための入力画面であるＳＳＩＤ選択ＧＵＩ（図９参照）をディスプレイ１２に表示する（Ｓ２３０）。
【００５５】
そして、ＳＳＩＤ選択ＧＵＩにてキャンセル（Ｃａｎｃｅｌ）が選択された場合には（キャンセル：Ｓ２３０）、本処理を直ちに終了して、セットアップウィザードを中断する。
【００５６】
又、ＳＳＩＤ選択ＧＵＩにて再検索（Ｒｅｆｒｅｓｈ）が選択された場合には（再検索：Ｓ２３０）、上述のＳ２００へ再度移行する。
又、ＳＳＩＤ選択ＧＵＩにて入力（Ａｄｄ）が選択された場合には（入力：Ｓ２３０）、印刷装置の参加対象とするＳＳＩＤをユーザーが入力するための入力画面であるＳＳＩＤ入力ＧＵＩ（図１０参照）を表示して（Ｓ２３５）、ユーザーにＳＳＩＤを入力させ、後述のＳ２５０へ移行する。
【００５７】
又、ＳＳＩＤ選択ＧＵＩにてＳＳＩＤが選択された場合には（選択：Ｓ２３０）、選択されたＳＳＩＤを印刷装置の参加対象とする無線ネットワークのＳＳＩＤに決定し、決定した無線ネットワークに参加（接続）するのにセキュリティ設定が必要であるか否か、即ち、セキュリティ設定がされているか否かを判定する（Ｓ２４０）。より具体的には、印刷装置が受信したビーコン信号に含まれる識別子に基づいて、決定した無線ネットワークに参加（接続）するのにセキュリティ設定が必要であるか否かを判定する。
【００５８】
ここで、セキュリティ設定が不要である場合には（Ｎｏ：Ｓ２４０）、その旨を警告する警告画面（図１４参照）をディスプレイ１２に表示し（Ｓ２４５）、この警告画面にてキャンセル（Ｃａｎｃｅｌ）が選択された場合には（キャンセル：Ｓ２４５）、直前の表示へ戻る一方、ＯＫが選択された場合には（ＯＫ：Ｓ２４５）、後述のＳ２５５へ移行する。
【００５９】
一方、Ｓ２４０にて、セキュリティ設定が必要であれば（Ｙｅｓ：Ｓ２４０）、後述のセキュリティ設定処理を実行したのち（Ｓ２５０）、設定内容をユーザーに確認させるための設定確認画面（図１５参照）をディスプレイ１２に表示する（Ｓ２５５）。
【００６０】
そして、この設定確認画面にて、戻る（Ｂａｃｋ）が選択された場合には（戻る：Ｓ２５５）、直前の表示へ戻る。
又、設定確認画面にて手動設定（Ｃｈａｎｇｅ  ＩＰ  Ａｄｄｒｅｓｓ）が選択された場合には（手動設定：Ｓ２５５）、ユーザーがＩＰアドレスを入力するための入力画面であるＩＰアドレス入力ＧＵＩ（図１６参照）をディスプレイ１２に表示して（Ｓ２６０）、ユーザーにＩＰアドレスを入力させたのち、上述のＳ２５５へ再度移行する。
【００６１】
又、設定確認画面にて、次へ（Ｎｅｘｔ）が選択された場合には（次へ：Ｓ２５５）、決定したＳＳＩＤやセキュリティ設定処理での設定などの設定内容を印刷装置へ送信し（Ｓ２６５）、本処理を終了する。
【００６２】
ここで、図５は、セキュリティ設定処理（Ｓ２５０）の流れを示すフローチャートである。
図５に示すように、本処理では、まず、ユーザーがセキュリティ機能を設定するための入力画面であるセキュリティ設定ＧＵＩ（図１１参照）をディスプレイ１２に表示する（Ｓ３００）。
【００６３】
そして、このセキュリティ設定ＧＵＩにおける各種設定項目に対して入力がなされるなどして、次へ（Ｎｅｘｔ）が選択された場合には（次へ：Ｓ３００）、本処理を直ちに終了する。
【００６４】
一方、セキュリティ設定ＧＵＩにて、詳細設定（Ａｄｖａｎｃｅｄ）が選択された場合には（詳細設定：Ｓ３００）、ユーザーが詳細設定を入力するための入力画面である詳細設定ＧＵＩ（図１２参照）をディスプレイ１２に表示する（Ｓ３０５）。
【００６５】
そして、この詳細設定ＧＵＩにて、戻る（Ｂａｃｋ）が選択された場合には（戻る：Ｓ３０５）、上述のＳ３００へ再度移行する。
一方、詳細設定ＧＵＩにて、詳細設定が入力されるなどして、次へ（Ｎｅｘｔ）が選択された場合には（次へ：Ｓ３０５）、ＥＡＰ（Extensible  Authentication  Protocol）の設定が必要であるか否かを判定する（Ｓ３１０）。より具体的には、詳細設定ＧＵＩにて、認証方式（Authentication  Method）にＥＡＰが選択されているか否かを判定する。
【００６６】
ここで、ＥＡＰの設定が不要である場合には（Ｎｏ：Ｓ３１０）、本処理を直ちに終了する一方、ＥＡＰの設定が必要である場合には（Ｙｅｓ：Ｓ３１０）、ユーザーがＥＡＰを設定するための入力画面であるＥＡＰ設定ＧＵＩ（図１３参照）をディスプレイ１２に表示する（Ｓ３１５）。
【００６７】
そして、このＥＡＰ設定ＧＵＩにて、戻る（Ｂａｃｋ）が選択された場合には（戻る：Ｓ３１５）、上述のＳ３０５へ再度移行する一方、各種設定が入力されるなどして、次へ（Ｎｅｘｔ）が選択された場合には（次へ：Ｓ３１５）、本処理を終了する。
【００６８】
以上の処理を実行することにより、本実施形態のＰＣ１では、例えば、図１７に示すように、印刷装置を無線ネットワークに参加させる際に、１つの印刷装置のみを認識した場合には、印刷装置を選択するための入力を不要と判定して、印刷装置を選択するための入力画面の表示を省略し、認識した印刷装置をそのまま無線ネットワークに参加するために必要な設定を行う設定対象に決定する。更に、１つのＳＳＩＤのみを認識し、認識したＳＳＩＤが、ＰＣ１が参加していたＳＳＩＤと一致する場合には、ＳＳＩＤを選択するための入力を不要と判定して、ＳＳＩＤを選択するための入力画面の表示を省略し、認識したＳＳＩＤをそのまま印刷装置の参加対象とする無線ネットワークのＳＳＩＤに決定して、印刷装置への設定内容を確認するための入力画面のみをユーザーに表示する。
【００６９】
つまり、本実施形態のＰＣ１では、ＰＣ１の周囲に存在する印刷装置や無線ネットワークが１つだけであり、且つ、無線ネットワークが、ＰＣ１が参加していた無線ネットワークと一致しているにも関わらず、ユーザーにわざわざこれらを選択するための入力を行わせてしまうことがないため、ユーザーは印刷装置を無線ネットワークに参加させるために必要な設定を従来よりも簡易に行うことができる。このため、大抵の一般家庭のように、１つの印刷装置と１つの無線ネットワークしか存在しない環境に好適に用いることができる。
【００７０】
又、以上の処理を実行することにより、本実施形態のＰＣ１では、認識したＳＳＩＤが１つであっても、ＰＣ１が参加していたＳＳＩＤと不一致な場合には、印刷装置の参加対象とするＳＳＩＤを選択するための入力を必要と判定して、ＳＳＩＤを選択するための入力画面を表示し、ユーザーにＳＳＩＤを選択させる。
【００７１】
つまり、認識した無線ネットワークとＰＣ１が参加していた無線ネットワークが不一致な場合には、参加対象に設定すべき無線ネットワークであるか否かをユーザーに確認させることにより、参加対象に設定すべきでない無線ネットワークを参加対象に設定してしまうことを防止できる。これにより、例えば集合住宅における隣の部屋（世帯）に存在する無線ネットワークのように、参加対象に設定すべきでない無線ネットワークまでも認識してしまっても、その無線ネットワークを参加対象に設定してしまうことを防止できる。
【００７２】
又、以上の処理を実行することにより、本実施形態のＰＣ１では、図１８に示すように、印刷装置を無線ネットワークに参加させる際に、複数の印刷装置を認識した場合には、無線ネットワークに参加するために必要な設定を行う設定対象とする印刷装置を選択するための入力を必要と判定して、印刷装置を選択するための入力画面を表示し、ユーザーに印刷装置を選択させる。更に、複数のＳＳＩＤを認識した場合には、印刷装置の参加対象とするＳＳＩＤを選択するための入力を必要と判定して、ＳＳＩＤを選択するための入力画面を表示し、ユーザーにＳＳＩＤを選択させる。
【００７３】
つまり、本実施形態のＰＣ１では、認識した印刷装置や無線ネットワークが複数である場合には、これらをユーザーに選択させることができる。このため、無線ネットワークに関する専門的知識を有したユーザーがいるオフィスのように、周囲に複数の印刷装置や無線ネットワークが存在する環境にも好適に用いることができる。
【００７４】
又、以上の処理を実行することにより、本実施形態のＰＣ１では、認識したＳＳＩＤが予め設定されていたＳＳＩＤと一致した場合に、そのＳＳＩＤをそのまま参加対象に決定するため、ＰＣ１が参加し、参加対象に設定しても支障がないことが分かっている無線ネットワークへの設定を簡易に行うことができる。特に、ユーザーが従来から使用している、無線ネットワークに接続されたＰＣ１から、印刷装置を利用できるようにセットアップしたい時に設定を間違えることもなく有用である。
【００７５】
又、以上の処理を実行することにより、本実施形態のＰＣ１では、特定機種の印刷装置のみを認識対象としているため、認識した印刷装置の中からユーザーがわざわざ特定機種の印刷装置を選択するための入力を行う手間がかかることもなく、又、特定機種以外の印刷装置を誤って設定対象としてしまうこともない。
【００７６】
又、以上の処理を実行することにより、本実施形態のＰＣ１では、セキュリティ機能によってＳＳＩＤが不認識な場合に、ＳＳＩＤを入力するための入力画面を表示して、ユーザーにＳＳＩＤを入力させ、印刷装置を不認識な無線ネットワークに参加させることができる。
【００７７】
又、以上の処理を実行することにより、本実施形態のＰＣ１では、セキュリティ機能が設定不可である場合に、警告画面を表示するため、その旨をユーザーに警告することができる。このため、ユーザーはセキュリティ機能が設定不可である無線ネットワークであると認識せずに印刷装置を無線ネットワークに参加させることなく、印刷装置を任意にセキュリティ機能を設定可能な無線ネットワークへ参加させることができる。
【００７８】
尚、本実施形態では、ＰＣ１（より具体的にはＣＰＵ１１１）が本発明におけるコンピュータに相当し、無線ＬＡＮアダプタ１１８が本発明における通信インターフェイスに相当し、複合機及び無線アクセスポイントが本発明における機器に相当する。
【００７９】
又、本実施形態では、セットアップウィザード処理のＳ１１５、メイン設定処理のＳ２０５、Ｓ２４０が本発明における認識手順に相当し、セットアップウィザード処理のＳ１００，Ｓ１２５、メイン設定処理のＳ２００，Ｓ２３０〜Ｓ２４５，Ｓ２５５，Ｓ２６０、セキュリティ設定処理のＳ３００，Ｓ３０５，Ｓ３１５が本発明における入力画面表示手順に相当する。
【００８０】
又、本実施形態では、セットアップウィザード処理のＳ１２０、メイン設定処理のＳ２１５が本発明における入力画面要否制御手順に相当し、セットアップウィザード処理のＳ１２０，Ｓ１２５、メイン設定処理のＳ２１５〜Ｓ２３０，Ｓ２６５が本発明における無線接続設定手順に相当する。
【００８１】
又、本実施形態では、印刷装置選択ＧＵＩが本発明における設定機器選択画面に相当し、ＳＳＩＤ選択ＧＵＩが本発明における無線ネットワーク選択画面に相当し、警告画面が本発明における警告画面に相当する。
【００８２】
又、本実施形態では、セットアップウィザード処理のＳ１１５〜Ｓ１２５、メイン設定処理のＳ２０５〜Ｓ２３５が本発明における接続対象設定手順に相当し、メイン設定処理のＳ２６５が本発明における接続確立手順に相当し、メイン設定処理のＳ２４０，Ｓ２４５が本発明におけるセキュリティ警告手順に相当する。
【００８３】
又、本実施形態では、ＳＳＩＤ選択ＧＵＩが本発明における第１の選択画面に相当し、印刷装置選択ＧＵＩ及びＳＳＩＤ選択ＧＵＩが本発明における第２の選択画面に相当する。
【００８４】
又、本実施形態では、ＣＤ−ＲＯＭが本発明における記録媒体に相当し、ＰＣ１と印刷装置と無線アクセスポイントとにより構成される無線ネットワークが本発明における無線ネットワークに相当する。
【００８５】
以上、本発明の実施の形態について説明したが、本発明は、上記実施形態に何ら限定されることはなく、本発明の技術的範囲に属する限り種々の形態をとり得ることはいうまでもない。
【００８６】
例えば、上記実施形態では、プログラムはＣＤ−ＲＯＭに記録されていたが、フレキシブルディスク（ＦＤ）や光ディスク（ＭＯ）、ＤＶＤ、Ｂｌｕ−Ｒａｙディスク、ＨＤ−ＤＶＤ、ハードディスク、メモリカードなどの他の形態の記録媒体に記録されていても勿論良い。
【００８７】
又、上記実施形態では、印刷装置を無線ネットワークに参加させる場合に本発明を適用したが、スキャナ、ＦＡＸ、カメラ（特にデジタルカメラ）、ネットワークストレージ、プロジェクタなどや、それらの複合機、それらと印刷装置の複合機などといったその他の機器を無線ネットワークに参加させる場合に本発明を適用しても勿論良い。
【図面の簡単な説明】
【００８８】
【図１】本発明に係るパーソナルコンピュータ１の概略構成図である。
【図２】ＣＰＵ１１１が実行する初期設定処理の流れを示すフローチャートである。
【図３】初期設定処理におけるセットアップウィザード処理の流れを示すフローチャートである。
【図４】セットアップウィザード処理におけるメイン設定処理の流れを示すフローチャートである。
【図５】メイン設定処理におけるセキュリティ設定処理の流れを示すフローチャートである。
【図６】ディスプレイ１２に表示する開始画面の一例を示す説明図である。
【図７】ディスプレイ１２に表示する印刷装置選択ＧＵＩの一例を示す説明図である。
【図８】ディスプレイ１２に表示する検索画面の一例を示す説明図である。
【図９】ディスプレイ１２に表示するＳＳＩＤ選択ＧＵＩの一例を示す説明図である。
【図１０】ディスプレイ１２に表示するＳＳＩＤ入力ＧＵＩの一例を示す説明図である。
【図１１】ディスプレイ１２に表示するセキュリティ設定ＧＵＩの一例を示す説明図である。
【図１２】ディスプレイ１２に表示する詳細設定ＧＵＩの一例を示す説明図である。
【図１３】ディスプレイ１２に表示するＥＡＰ設定ＧＵＩの一例を示す説明図である。
【図１４】ディスプレイ１２に表示する警告画面の一例を示す説明図である。
【図１５】ディスプレイ１２に表示する設定確認画面の一例を示す説明図である。
【図１６】ディスプレイ１２に表示するＩＰアドレス入力ＧＵＩの一例を示す説明図である。
【図１７】印刷装置、ＳＳＩＤが１つだけである場合におけるＰＣ１の動作を概略的に示す説明図である。
【図１８】印刷装置、ＳＳＩＤが複数ある場合におけるＰＣ１の動作を概略的に示す説明図である。
【図１９】背景技術の問題点の一例を示す説明図である。
【符号の説明】
【００８９】
１…ＰＣ、１１…本体、１２…ディスプレイ、１３…キーボード、１１１…ＣＰＵ、１１２…ＲＯＭ、１１３…ＲＡＭ、１１４…ＨＤＤ、１１５…ＣＤ−ＲＯＭドライブ、１１６…入力Ｉ／Ｆ、１１７…ビデオＩ／Ｆ、１１８…無線ＬＡＮアダプタ、１１９…信号バス。
【図２】
2006287600.tif 000003
【図３】
2006287600.tif 000004
【図４】
2006287600.tif 000005
【図５】
2006287600.tif 000006
【図１】
2006287600.tif 000007
【図６】
2006287600.tif 000008
【図７】
2006287600.tif 000009
【図８】
2006287600.tif 000010
【図９】
2006287600.tif 000011
【図１０】
2006287600.tif 000012
【図１１】
2006287600.tif 000013
【図１２】
2006287600.tif 000014
【図１３】
2006287600.tif 000015
【図１４】
2006287600.tif 000016
【図１５】
2006287600.tif 000017
【図１６】
2006287600.tif 000018
【図１７】
2006287600.tif 000019
【図１８】
2006287600.tif 000020
【図１９】
2006287600.tif 000021